(57)【要約】【課題】  既読問題の回答のみを表示させたり、ユーザが指定した問題の回答のみを表示させることができる携帯情報端末を提供する。【解決手段】  表示面を有し、表示面を見る方向を異ならせることによってそれぞれ視認可能な複数の画面を同時に表示する携帯情報端末であって、第１の視認方向に対して、複数のオブジェクトが配列された第１画面４１を表示する第１表示部３２と、操作キーの操作に基づいて、第１画面４１内でカーソル４３を移動させるカーソル移動部３１と、第２の視認方向に対して、先頭オブジェクトからカーソル位置のオブジェクトまでの各オブジェクトにそれぞれ関連付けられたリンク情報が配列された第２画面４２を表示する第２表示部３３により構成される。【選択図】  図８
2010170346.tif 000002
【特許請求の範囲】
【請求項１】
表示面を有し、上記表示面を見る方向を異ならせることによってそれぞれ視認可能な２以上の画面を同時に表示する携帯情報端末において、
第１の視認方向に対して、２以上のオブジェクトが配列された第１画面を表示する第１表示手段と、
操作キーの操作に基づいて、第１画面内でカーソルを移動させるカーソル移動手段と、
第２の視認方向に対して、先頭オブジェクトからカーソル位置のオブジェクトまでの各オブジェクトにそれぞれ関連付けられたリンク情報が配列された第２画面を表示する第２表示手段とを備えたことを特徴とする携帯情報端末。
【請求項２】
表示面を有し、上記表示面を見る方向を異ならせることによってそれぞれ視認可能な２以上の画面を同時に表示する携帯情報端末において、
第１の視認方向に対して、２以上のオブジェクトが配列された第１画面を表示する第１表示手段と、
操作キーの操作に基づいて、第１画面内でカーソルを移動させるカーソル移動手段と、
決定操作に基づいて、カーソル位置のオブジェクトをリンク情報の表示対象に指定する表示対象指定手段と、
第２の視認方向に対して、上記表示対象に指定されたオブジェクト及びカーソル位置のオブジェクトにそれぞれ関連付けられたリンク情報が配列された第２画面を表示する第２表示手段とを備えたことを特徴とする携帯情報端末。
【請求項３】
表示面を有し、上記表示面を見る方向を異ならせることによってそれぞれ視認可能な２以上の画面を同時に表示する携帯情報端末において、
第１の視認方向に対して、２以上のオブジェクトが配列された第１画面を表示する第１表示手段と、
傾きを検出する傾きセンサーと、
第１画面内でカーソルを移動させるカーソル移動手段と、
第２の視認方向に対して、先頭オブジェクトからカーソル位置のオブジェクトまでの各オブジェクトにそれぞれ関連付けられたリンク情報が配列された第２画面を表示する第２表示手段とを備え、
第２表示手段が、上記傾きセンサーの出力に基づいて一方向への回転操作を検知し、カーソル位置のオブジェクトに対応するリンク情報を表示し、
上記カーソル移動手段が、上記傾きセンサーの出力に基づいて上記一方向とは反対方向への回転操作を検知し、上記カーソルを次のオブジェクトに移動させることを特徴とする携帯情報端末。
【請求項４】
第２表示手段は、検知した回転操作の回転角度が一定値よりも小さい場合に、カーソル位置のオブジェクトに対応するリンク情報を構成する文字列の一部を表示し、回転角度が上記一定値よりも大きい場合に、上記文字列の全体を表示し、
上記カーソル移動手段は、検知した回転操作が上記一定値よりも大きい場合に、上記カーソルを次のオブジェクトに移動させることを特徴とする請求項３に記載の携帯情報端末。
【発明の詳細な説明】
【技術分野】
【０００１】
本発明は、携帯情報端末に係り、さらに詳しくは、表示面を見る方向を異ならせることによってそれぞれ視認可能な複数の画面を同時に表示する携帯情報端末の改良に関する。
【背景技術】
【０００２】
電子化された書籍データを保持し、ディスプレイに出力することによって閲覧させる携帯情報端末が従来から知られている（例えば、特許文献１及び２）。また、特許文献３には、表示面を見る方向を異ならせることによってそれぞれ視認することができる複数の画面を同時に表示する技術が開示されている。この特許文献３に記載の携帯電話機は、デュアルビュー液晶を備え、表示面を右側から見る場合と左側から見る場合とで異なる画像を表示することができる。デュアルビュー液晶とは、２つの画像の合成画像を表示する液晶パネルと、この液晶パネルを見る角度（視角）に応じて視認可能な画像を異ならせる制御用パネル（視差バリア）とを用いて、特定の視認方向に対して一方の画像のみを視認させる表示装置のことである。この携帯電話機では、例えば、一方の画面に受信メールを選択させるメール一覧を表示し、他方の画面に選択された受信メールのメール本文を表示する動作が行われる。
【０００３】
そこで、デュアルビュー液晶を用いて書籍データを表示させれば、一方の画面の視認時、端末を傾けて視角を変えることによって他方の画面を視認することができるので、互いに関連する２つの情報を異なる画面で閲覧させる際の操作性を向上させることができる。しかしながら、上述した様な従来の携帯情報端末では、一方の画面で選択された項目やページに関連するリンク情報が他方の画面に表示される。このため、単語問題集やクイズ問題集などのように問題とその回答とで構成される書籍を表示させる場合に、他方の画面に既読問題の回答のみを表示させたり、ユーザが指定した問題の回答のみを表示させることができなかった。
【先行技術文献】
【特許文献】
【０００４】
【特許文献１】特開２００１−５４３８号公報
【特許文献２】特開２００８−１１６７９１号公報
【特許文献３】特開２００５−７７９３６号公報
【発明の概要】
【発明が解決しようとする課題】
【０００５】
本発明は、上記事情に鑑みてなされたものであり、単語問題集やクイズ問題集などの書籍を閲覧させる際の操作性を向上させた携帯情報端末を提供することを目的としている。特に、既読問題の回答のみを表示させたり、ユーザが指定した問題の回答のみを表示させることができる携帯情報端末を提供することを目的としている。
【課題を解決するための手段】
【０００６】
第１の本発明による携帯情報端末は、表示面を有し、上記表示面を見る方向を異ならせることによってそれぞれ視認可能な２以上の画面を同時に表示する携帯情報端末であって、第１の視認方向に対して、２以上のオブジェクトが配列された第１画面を表示する第１表示手段と、操作キーの操作に基づいて、第１画面内でカーソルを移動させるカーソル移動手段と、第２の視認方向に対して、先頭オブジェクトからカーソル位置のオブジェクトまでの各オブジェクトにそれぞれ関連付けられたリンク情報が配列された第２画面を表示する第２表示手段とを備えて構成される。
【０００７】
この様な構成によれば、第１の視認方向に対して複数のオブジェクトが配列された第１画面を表示し、第２の視認方向に対して各オブジェクトのリンク情報が配列された第２画面を表示することができる。その際、第２画面には、先頭オブジェクトからカーソル位置のオブジェクトまでの各オブジェクトにそれぞれ関連付けられたリンク情報が表示されるので、単語問題集やクイズ問題集などの書籍を閲覧させる場合に、既読問題の回答のみを第２画面に表示させることができる。
【０００８】
第２の本発明による携帯情報端末は、表示面を有し、上記表示面を見る方向を異ならせることによってそれぞれ視認可能な２以上の画面を同時に表示する携帯情報端末であって、第１の視認方向に対して、２以上のオブジェクトが配列された第１画面を表示する第１表示手段と、操作キーの操作に基づいて、第１画面内でカーソルを移動させるカーソル移動手段と、決定操作に基づいて、カーソル位置のオブジェクトをリンク情報の表示対象に指定する表示対象指定手段と、第２の視認方向に対して、上記表示対象に指定されたオブジェクト及びカーソル位置のオブジェクトにそれぞれ関連付けられたリンク情報が配列された第２画面を表示する第２表示手段とを備えて構成される。
【０００９】
この様な構成によれば、第１の視認方向に対して複数のオブジェクトが配列された第１画面を表示し、第２の視認方向に対して各オブジェクトのリンク情報が配列された第２画面を表示することができる。その際、第２画面には、リンク情報の表示対象に指定されたオブジェクトとカーソル位置のオブジェクトとにそれぞれ関連付けられたリンク情報が表示されるので、単語問題集やクイズ問題集などの書籍を閲覧させる場合に、ユーザが指定した問題の回答のみを第２画面に表示させることができる。
【００１０】
第３の本発明による携帯情報端末は、表示面を有し、上記表示面を見る方向を異ならせることによってそれぞれ視認可能な２以上の画面を同時に表示する携帯情報端末であって、第１の視認方向に対して、２以上のオブジェクトが配列された第１画面を表示する第１表示手段と、傾きを検出する傾きセンサーと、第１画面内でカーソルを移動させるカーソル移動手段と、第２の視認方向に対して、先頭オブジェクトからカーソル位置のオブジェクトまでの各オブジェクトにそれぞれ関連付けられたリンク情報が配列された第２画面を表示する第２表示手段とを備え、第２表示手段が、上記傾きセンサーの出力に基づいて一方向への回転操作を検知し、カーソル位置のオブジェクトに対応するリンク情報を表示し、上記カーソル移動手段が、上記傾きセンサーの出力に基づいて上記一方向とは反対方向への回転操作を検知し、上記カーソルを次のオブジェクトに移動させるように構成される。
【００１１】
この様な構成によれば、第１の視認方向に対して複数のオブジェクトが配列された第１画面を表示し、第２の視認方向に対して各オブジェクトのリンク情報が配列された第２画面を表示することができる。その際、第２画面には、先頭オブジェクトからカーソル位置のオブジェクトまでの各オブジェクトにそれぞれ関連付けられたリンク情報が表示されるので、単語問題集やクイズ問題集などの書籍を閲覧させる場合に、既読問題の回答のみを第２画面に表示させることができる。また、傾きを検出する傾きセンサーを備え、一方向への回転操作を検知してカーソル位置のオブジェクトに対応するリンク情報を表示し、上記一方向とは反対方向への回転操作を検知してカーソルを次のオブジェクトに移動させるので、例えば、第１の視認方向から第２の視認方向に表示面を見る方向を変更するだけで、カーソル位置のリンク情報を表示させ、また、第２の視認方向から第１の視認方向に視認方向を変更するだけで、カーソルを次のオブジェクトに移動させることができる。従って、操作キーの操作によってカーソルを移動させるのに比べて、単語問題集やクイズ問題集などの書籍を閲覧させる際の操作性を向上させることができる。
【００１２】
第４の本発明による携帯情報端末は、上記構成に加え、第２表示手段が、検知した回転操作の回転角度が一定値よりも小さい場合に、カーソル位置のオブジェクトに対応するリンク情報を構成する文字列の一部を表示し、回転角度が上記一定値よりも大きい場合に、上記文字列の全体を表示し、上記カーソル移動手段が、検知した回転操作が上記一定値よりも大きい場合に、上記カーソルを次のオブジェクトに移動させるように構成される。この様な構成によれば、回転操作の回転角度に応じて、リンク情報を構成する文字列の一部を表示させたり、文字列の全体を表示させることができる。
【発明の効果】
【００１３】
本発明による携帯情報端末によれば、第１の視認方向に対して複数のオブジェクトが配列された第１画面を表示し、第２の視認方向に対して各オブジェクトのリンク情報が配列された第２画面を表示することができる。その際、第２画面には、先頭オブジェクトからカーソル位置のオブジェクトまでの各オブジェクトにそれぞれ関連付けられたリンク情報が表示されるので、単語問題集やクイズ問題集などの書籍を閲覧させる場合に、既読問題の回答のみを第２画面に表示させることができる。また、第２画面には、表示対象に指定されたオブジェクトとカーソル位置のオブジェクトとにそれぞれ関連付けられたリンク情報が表示されるので、単語問題集やクイズ問題集などの書籍を閲覧させる場合に、ユーザが指定した問題の回答のみを第２画面に表示させることができる。
【００１４】
さらに、一方向への回転操作を検知してカーソル位置のオブジェクトに対応するリンク情報を表示し、上記一方向とは反対方向への回転操作を検知してカーソルを次のオブジェクトに移動させるので、例えば、第１の視認方向から第２の視認方向に表示面を見る方向を変更するだけで、カーソル位置のリンク情報を表示させ、また、第２の視認方向から第１の視認方向に視認方向を変更するだけで、カーソルを次のオブジェクトに移動させることができる。従って、操作キーの操作によってカーソルを移動させるのに比べて、単語問題集やクイズ問題集などの書籍を閲覧させる際の操作性を向上させることができる。
【図面の簡単な説明】
【００１５】
【図１】本発明の実施の形態１による携帯情報端末の一構成例を示した外観図であり、携帯情報端末の一例としてスライド式の携帯電話機１が示されている。
【図２】図１の携帯電話機１の概略構成の一例を示したブロック図である。
【図３】トリプルビュー液晶の動作例を模式的に示した説明図であり、３つの異なる画像Ａ〜Ｃから合成画像２１が作成される様子が示されている。
【図４】トリプルビュー液晶の動作例を模式的に示した説明図であり、第１〜第３の視認方向に応じてそれぞれ異なる画像が視認される様子が示されている。
【図５】デュアルビュー液晶の動作例を模式的に示した説明図であり、３つの画素を構成単位としてカラー画像を表示する場合の画素配列の一例が示されている。
【図６】デュアルビュー液晶の動作例を模式的に示した説明図であり、隣接する２つの画素を用いて灰色（グレー）階調を表現する場合の様子が示されている。
【図７】デュアルビュー液晶の動作例を模式的に示した説明図であり、輝度値の補正により表示面を斜め方向から見る場合にモノクロ画像が視認される様子が示されている。
【図８】図２の携帯電話機１の要部における構成例を示したブロック図であり、主制御部１０内の機能構成の一例が示されている。
【図９】図２の携帯電話機１におけるデュアルビュー表示時の動作の一例を示した図であり、第１画面４１及び第２画面４２が示されている。
【図１０】図２の携帯電話機１におけるデュアルビュー表示時の動作の一例を示した図であり、図９の状態からカーソル４３を移動させた場合が示されている。
【図１１】図２の携帯電話機１におけるデュアルビュー表示時の動作の一例を示した図であり、図１０の状態からカーソル４３を移動させた場合が示されている。
【図１２】図２の携帯電話機におけるデュアルビュー表示時の動作の一例を示したフローチャートである。
【図１３】本発明の実施の形態２による携帯情報端末の要部における構成例を示したブロック図であり、主制御部５０内の機能構成の一例が示されている。
【図１４】図１３の携帯情報端末におけるデュアルビュー表示時の動作の一例を示した図であり、第１画面４１及び第２画面４２が示されている。
【図１５】図１３の携帯情報端末におけるデュアルビュー表示時の動作の一例を示した図であり、図１４の状態からカーソル４３を移動させた場合が示されている。
【図１６】図１３の携帯情報端末におけるデュアルビュー表示時の動作の一例を示した図であり、図１５の状態からカーソル４３を移動させた場合が示されている。
【図１７】本発明の実施の形態３による携帯情報端末６０の概略構成の一例を示したブロック図である。
【図１８】図１７の携帯情報端末６０の要部における構成例を示したブロック図であり、主制御部６１内の機能構成の一例が示されている。
【図１９】図１７の携帯情報端末６０におけるデュアルビュー表示時の動作の一例を示した図であり、正面方向からディスプレイ２ａの表示面を視認する様子が示されている。
【図２０】図１７の携帯情報端末６０におけるデュアルビュー表示時の動作の一例を示した図であり、図１９の状態から端末を左方向に回転させた場合が示されている。
【図２１】図１７の携帯情報端末６０におけるデュアルビュー表示時の動作の一例を示した図であり、図２０の状態から端末を右方向に回転させた場合が示されている。
【図２２】図１７の携帯情報端末６０におけるデュアルビュー表示時の動作の一例を示した図であり、図２１の状態から端末を左方向に回転させた場合が示されている。
【図２３】図１７の携帯情報端末６０におけるデュアルビュー表示時の動作の他の一例を示した図であり、正面方向から表示面を視認する様子が示されている。
【図２４】図１７の携帯情報端末６０におけるデュアルビュー表示時の動作の他の一例を示した図であり、図２３の状態から端末を左方向に回転させた場合が示されている。
【図２５】図１７の携帯情報端末６０におけるデュアルビュー表示時の動作の他の一例を示した図であり、図２４の状態から元の状態に復帰させた場合が示されている。
【図２６】図１７の携帯情報端末６０におけるデュアルビュー表示時の動作の他の一例を示した図であり、図２５の状態から端末を左方向に回転させた場合が示されている。
【図２７】図１７の携帯情報端末６０におけるデュアルビュー表示時の動作の他の一例を示した図であり、図２６の状態から元の状態に復帰させた場合が示されている。
【図２８】図１７の携帯情報端末６０におけるデュアルビュー表示時の動作のその他の一例を示した図である。
【発明を実施するための形態】
【００１６】
実施の形態１．
図１（ａ）及び（ｂ）は、本発明の実施の形態１による携帯情報端末の一構成例を示した外観図であり、携帯情報端末の一例としてスライド式の携帯電話機１が示されている。図１（ａ）は、正面図であり、図１（ｂ）は、側面図である。携帯電話機１は、表示面を有するディスプレイ２ａが設けられた薄型の表示筐体２と、複数の操作キー３ａが配列された薄型の操作筐体３と、表示筐体２及び操作筐体３をスライド可能に連結する連結機構（図示せず）とからなる。
【００１７】
表示筐体２には、ディスプレイ２ａの他に、受話用のレシーバ２ｂが設けられている。操作筐体３には、方向キーや決定キーなどの操作キー３ａの他に、送話用のマイクロホン３ｂが設けられている。
【００１８】
この携帯電話機１は、表示面を見る方向を異ならせることによってそれぞれ視認可能な２つの画面を同時に表示するデュアルビュー表示機能を有する。
【００１９】
図２は、図１の携帯電話機１の概略構成の一例を示したブロック図である。この携帯電話機１は、レシーバ２ｂ、マイクロホン３ｂ、ディスプレイ２ａ及び操作キー３ａの他に、主制御部１０、アンテナ１１、セルラー通信部１２、書籍データ記憶部１３及び画面情報記憶部１４を備えて構成される。
【００２０】
アンテナ１１は、移動体通信用のアンテナである。セルラー通信部１２は、アンテナ１１を介して基地局との間で通信を行い、通信データを送受信する移動体通信用の送受信部である。通話時に受信した音声信号は、レシーバ２ｂから出力され、マイクロホン３ｂに入力された音声信号が送信される。
【００２１】
書籍データ記憶部１３は、書籍データを保持するメモリである。書籍データは、文字列や写真、図形などのオブジェクトによって構成される複数のページからなり、例えば、インターネット上の電子書籍提供サイトからダウンロードすることができる。
【００２２】
画面情報記憶部１４は、ページカウンタ情報１５やフォーカスカウンタ情報１６を保持するメモリである。ページカウンタ情報１５は、フォーカス表示によって選択中のオブジェクトを表示する場合に、選択されているオブジェクトを含むページをカウントするための画面情報であり、書籍データの特定のページに対応する。電子書籍の閲覧要求があれば、ページカウンタ情報１５として所定の初期値が設定される。この初期値を調整することにより、閲覧開始時には常に書籍の先頭ページを表示させたり、或いは、前回の閲覧終了時に表示させていたページを最初に表示させることができる。
【００２３】
フォーカスカウンタ情報１６は、選択中のオブジェクトをカウントするための画面情報である。このフォーカスカウンタ情報１６は、方向キーを操作することにより、カーソルを次のオブジェクトに移動させた場合、インクリメントされ、直前のオブジェクトに移動させた場合には、デクリメントされる。
【００２４】
このディスプレイ２ａは、デュアルビュー液晶又はトリプルビュー液晶であり、表示面を見る方向を異ならせることによってそれぞれ視認可能な２つの画面を同時に表示することができる。
【００２５】
＜トリプルビュー液晶＞
図３及び図４は、トリプルビュー液晶の動作例を模式的に示した説明図である。図３には、３つの異なる画像Ａ〜Ｃから合成画像２１が作成される様子が示され、図４には、第１〜第３の視認方向に応じてそれぞれ異なる画像が視認される様子が示されている。トリプルビュー液晶は、３つの異なる画像Ａ〜Ｃの合成画像２１を表示する液晶パネル２２と、この液晶パネル２２を見る方向（視認方向）に応じて視認可能な画像を異ならせる制御用パネル２３とからなる表示装置であり、特定の視認方向に対して１つの画像のみを視認させる。
【００２６】
合成画像２１は、図３（ａ）の各画像Ａ〜Ｃをそれぞれ縦に細長い矩形形状の多数のブロックに区分し、これらのブロックを１列ずつ交互に配列することによって形成されている（図３（ｂ））。この例では、画像Ａの第１のブロック、画像Ｂの第２のブロック、画像Ｃの第３のブロック、画像Ａの第４のブロック、・・・、の順序で各ブロックが配列されている。
【００２７】
制御用パネル２３は、不透明領域２４内にスリット状の多数の透明領域２５が形成された視差バリアであり、液晶パネル２２に合成画像２１を表示した場合に、視認方向に応じて異なる画像を選択的に視認させる。
【００２８】
この例では、３画素に１個の割合で透明領域２５（スリット）が配置されている。この様なスリット層の存在によって視野が制限されるので、視認方向を異ならせることによってそれぞれ視認可能な複数の画像を同時に表示させることができる。
【００２９】
すなわち、表示面の正面方向を第１の視認方向として、第１の視認方向からディスプレイ２ａを見る場合、画像Ｂが視認される。また、右斜め方向（右視方向）を第２の視認方向として、第２の視認方向からディスプレイ２ａを見る場合には、画像Ａが視認される。また、左斜め方向（左視方向）を第３の視認方向として、第３の視認方向からディスプレイ２ａを見る場合には、画像Ｃが視認される。
【００３０】
＜デュアルビュー液晶＞
図５〜図７は、デュアルビュー液晶の動作例を模式的に示した説明図である。図５には、ＲＧＢの輝度情報がそれぞれ割り当てられる３つの画素を構成単位としてカラー画像を表示する場合の画素配列の一例が示されている。図６には、隣接する２つの画素を用いて灰色（グレー）階調を表現する場合の様子が示されている。図７には、輝度値の補正により表示面を斜め方向から見る場合にモノクロ画像が視認される様子が示されている。
【００３１】
デュアルビュー液晶は、液晶パネルを見る方向を異ならせることによってそれぞれ視認可能な２つの画像を同時に表示する表示装置であり、表示面を斜め方向から見る場合と正面から見る場合とで異なる画像を表示することができる。
【００３２】
通常、カラー画像は、ＲＧＢの輝度情報がそれぞれ割り当てられる３つの画素を構成単位とする多数のブロックによって表示される。この例では、３つの画素が横方向に配列されたブロックが３行３列のマトリックス状に配置されている。
【００３３】
各画素の輝度値を補正する前の状態では、表示面を見る角度によって視認性、すなわち、見え易さは変化するが、どの方向から見ても１つの画像として視認される。
【００３４】
一方、互いに隣接する２つの画素を用いて灰色階調を表現する場合、一方の画素に白（輝度レベル０％）を割り当て、他方の画素に黒（輝度レベル１００％）を割り当てるパターン（図６（ａ））と、両方の画素にそれぞれ灰色（輝度レベル５０％）を割り当てるパターン（図６（ｂ））とが考えられる。
【００３５】
表示面を正面方向から見る場合、いずれのパターンであっても、輝度レベル５０％の灰色階調が視認される。ところが、表示面を斜め方向から見る場合には、視覚特性により、図６（ｂ）のパターンに比べて、図６（ａ）のパターンの方が、見る角度によって見える色が大きく変化する。具体的には、正面方向からの傾きが大きくなるに従って、黒っぽく見えるようになる。
【００３６】
この様に隣接画素の輝度差が大きなパターンと小さなパターンとの２値を使い分けることにより、正面方向から視認されるカラー画像とは異なるモノクロ画像を斜め方向から視認させることができる。
【００３７】
図７（ａ）には、隣接する２画素単位で輝度値が補正された画素配列が示され、図７（ｂ）には、画素値の補正によって視認されるモノクロ画像の一例が示されている。この例では、中央の２画素の輝度差を他の画素に比べて大きくしている。これにより、正面方向から見れば、輝度値の補正前と同様のカラー画像が視認され、斜め方向から見れば、中央が黒いモノクロ画像が視認される。
【００３８】
図８は、図２の携帯電話機１の要部における構成例を示したブロック図であり、主制御部１０内の機能構成の一例が示されている。この主制御部１０は、カーソル移動部３１、第１表示部３２及び第２表示部３３により構成され、表示面を見る方向を異ならせることによってそれぞれ視認可能な２つの画面を同時に表示させる動作が行われる。
【００３９】
第１表示部３２は、表示面の正面方向を第１の視認方向とし、第１の視認方向に対して第１画面を表示する動作を行っている。具体的には、画面情報記憶部１４内のページカウンタ情報１５やフォーカスカウンタ情報１６に基づいて、書籍データ記憶部１３から書籍データを読み出す。そして、読み出した書籍データに基づいて、複数のオブジェクトが配列された第１画面を表示するための第１画面データを生成し、ディスプレイ２ａ及び第２表示部３３へ出力する動作が行われる。
【００４０】
カーソル移動部３１は、方向キーの操作信号に基づいて第１表示部３２を制御し、第１画面内でカーソルを移動させる動作を行っている。
【００４１】
第２表示部３３は、所定の斜め方向を第２の視認方向とし、第２の視認方向に対して第２画面を表示する動作を行っている。具体的には、画面情報記憶部１４内のページカウンタ情報１５やフォーカスカウンタ情報１６に基づいて、書籍データ記憶部１３から書籍データを読み出す。そして、読み出した書籍データに基づいて、先頭オブジェクトからカーソル位置のオブジェクトまでの各オブジェクトにそれぞれ関連付けられたリンク情報が配列された第２画面を表示するための第２画面データを生成し、ディスプレイ２ａへ出力する動作が行われる。
【００４２】
図９〜図１１は、図２の携帯電話機１におけるデュアルビュー表示時の動作の一例を示した図である。図９（ａ）には、正面方向から視認することができる第１画面４１が示され、図９（ｂ）には、斜め方向から視認することができる第２画面４２が示されている。
【００４３】
第１画面４１には、選択可能な複数のオブジェクトが配列された所定のページが表示される。第２画面４２には、第１画面４１内の先頭オブジェクトからカーソル４３が位置しているオブジェクトまでの各オブジェクトにそれぞれ関連付けられたリンク情報が配列される。
【００４４】
電子書籍として単語問題集を表示させる場合、第１画面４１には、英単語などの原語が表示され、第２画面４２には、その日本語訳などの翻訳語が表示される。
【００４５】
この例では、第１画面４１に「ｄｏｍｅｓｔｉｃ」から「ｅｎａｂｌｅ」までの１０個の英単語が表示され、先頭オブジェクトとしての英単語「ｄｏｍｅｓｔｉｃ」にカーソル４３が位置している。カーソル位置のオブジェクトは、フォーカス表示、例えば、反転表示され、選択されていることを認識することができる。
【００４６】
第２画面４２には、カーソル位置の英単語「ｄｏｍｅｓｔｉｃ」の日本語訳「国内の、家庭内の」がリンク情報として表示されている。
【００４７】
図１０（ａ）には、図９の状態で方向キーを操作することにより、カーソル４３を下方向に移動させて次のオブジェクトに移動させた場合の第１画面４１が示され、図１０（ｂ）には、第２画面４２が示されている。
【００４８】
英単語「ｄｏｍｅｓｔｉｃ」にカーソル４３が位置している状態で、方向キーを操作すれば、カーソル４３を次のオブジェクトとしての英単語「ｄｒｉｆｔ」に移動させることができる。第２画面４２には、英単語「ｄｏｍｅｓｔｉｃ」及び「ｄｒｉｆｔ」の日本語訳がそれぞれ表示されている。また、第１画面４１内のこれらの英単語には、選択中であることを示す下線が配置されている。
【００４９】
図１１（ａ）には、図１０の状態で方向キーを操作することにより、カーソル４３を下方向に移動させて次のオブジェクトに移動させた場合の第１画面４１が示され、図１１（ｂ）には、第２画面４２が示されている。
【００５０】
英単語「ｄｒｉｆｔ」にカーソル４３が位置している状態で、方向キーを操作すれば、カーソル４３をさらに次のオブジェクトとしての英単語「ｅａｒｎ」に移動させることができる。第２画面４２には、英単語「ｄｏｍｅｓｔｉｃ」から「ｅａｒｎ」までの日本語訳がそれぞれ表示されている。また、第１画面４１内のこれらの英単語には、選択中であることを示す下線が配置されている。
【００５１】
本実施の形態では、この様に先頭オブジェクトからカーソル位置のオブジェクトまでの各オブジェクトにそれぞれ関連付けられたリンク情報が第２画面４２に表示され、方向キーを操作して第１画面４１内のカーソル４３を移動させるごとに、リンク情報を追加することができる。
【００５２】
ここでは、方向キーの下キーを操作することによって、カーソル４３が次のオブジェクトに移動し、新たに選択されたオブジェクトに対応するリンク情報が第２画面４２内に追加されるのに対して、上キーを操作すれば、カーソル４３が１つ前のオブジェクトに移動して、操作前にカーソル４３が位置していたオブジェクトに対応するリンク情報が第２画面４２から削除されるものとする。
【００５３】
図１２のステップＳ１０１〜Ｓ１０７は、図２の携帯電話機におけるデュアルビュー表示時の動作の一例を示したフローチャートである。まず、第１及び第２表示部３２，３３は、画面情報記憶部１４内のページカウンタ情報１５やフォーカスカウンタ情報１６に基づいて書籍データ記憶部１３から書籍データを読み出し、画面データを生成する（ステップＳ１０１，Ｓ１０２）。
【００５４】
次に、カーソル移動部３１は、方向キーが操作されれば、当該操作信号に基づいてカーソルを次のオブジェクトに移動させる（ステップＳ１０３，Ｓ１０４）。第２表示部３３は、カーソルの移動によって新たに選択されたオブジェクトのリンク情報を表示する（ステップＳ１０５）。
【００５５】
次に、第１及び第２表示部３２，３３は、ページ変更の要求があれば、ステップＳ１０１からの処理手順を繰り返す（ステップＳ１０６）。また、ステップＳ１０３からステップＳ１０６までの処理手順は、電子書籍の閲覧終了が指示されるまで繰り返される（ステップＳ１０７）。
【００５６】
本実施の形態によれば、正面方向に対して複数のオブジェクトが配列された第１画面４１を表示し、斜め方向に対して各オブジェクトのリンク情報が配列された第２画面４２を表示することができる。その際、第２画面４２には、先頭オブジェクトからカーソル位置のオブジェクトまでの各オブジェクトにそれぞれ関連付けられたリンク情報が表示されるので、単語問題集やクイズ問題集などの書籍を閲覧させる場合に、既読問題の回答のみを第２画面４２に表示させることができる。
【００５７】
実施の形態２．
実施の形態１では、第２画面４２に先頭オブジェクトからカーソル位置のオブジェクトまでのリンク情報を表示する場合の例について説明した。これに対して、本実施の形態では、リンク情報の表示対象に指定されたオブジェクトとカーソル位置のオブジェクトのリンク情報を第２画面４２に表示する場合について説明する。
【００５８】
図１３は、本発明の実施の形態２による携帯情報端末の要部における構成例を示したブロック図であり、主制御部５０内の機能構成の一例が示されている。この主制御部５０は、図８の主制御部１０と比較すれば、表示対象指定部５１を備えている点で異なる。
【００５９】
表示対象指定部５１は、ユーザによる所定の決定操作に基づいて、カーソル位置のオブジェクトをリンク情報の表示対象に指定する動作を行っている。例えば、決定キーを操作することにより、操作時点でカーソル４３が位置しているオブジェクトを表示対象として指定する表示対象指定情報が生成される。
【００６０】
第２表示部３３では、表示対象に指定されたオブジェクト及びカーソル位置のオブジェクトにそれぞれ関連付けられたリンク情報を第２画面４２に表示する動作が行われる。
【００６１】
図１４〜図１６は、図１３の携帯情報端末におけるデュアルビュー表示時の動作の一例を示した図である。図１４（ａ）には、正面方向から視認することができる第１画面４１が示され、図１４（ｂ）には、斜め方向から視認することができる第２画面４２が示されている。
【００６２】
第１画面４１には、リンク情報の表示対象に指定するための入力欄として、チェックボックス５２が表示されている。このチェックボックス５２は、オブジェクトごとに設けられており、各オブジェクトに対応付けて配置されている。
【００６３】
この例では、先頭オブジェクトとしての英単語「ｄｏｍｅｓｔｉｃ」にカーソル４３が位置しており、第２画面４２には、カーソル位置の英単語「ｄｏｍｅｓｔｉｃ」の日本語訳「国内の、家庭内の」がリンク情報として表示されている。
【００６４】
図１５（ａ）には、図１４の状態で方向キーを操作することにより、カーソル４３を下方向に移動させて次のオブジェクトに移動させた場合の第１画面４１が示され、図１５（ｂ）には、第２画面４２が示されている。
【００６５】
英単語「ｄｏｍｅｓｔｉｃ」にカーソル４３が位置している状態で、方向キーを操作すれば、カーソル４３を次のオブジェクトとしての英単語「ｄｒｉｆｔ」に移動させることができる。第２画面４２には、英単語「ｄｒｉｆｔ」の日本語訳が表示され、第１画面４１内の英単語「ｄｒｉｆｔ」には、選択中であることを示す下線が配置されている。この状態で決定キーを操作すれば、当該オブジェクトのチェックボックス５２内にチェックマークが表示され、英単語「ｄｒｉｆｔ」がリンク情報の表示対象に指定される。
【００６６】
図１６（ａ）には、図１５の状態で方向キーを操作することにより、カーソル４３を下方向に移動させて次のオブジェクトに移動させた場合の第１画面４１が示され、図１６（ｂ）には、第２画面４２が示されている。
【００６７】
英単語「ｄｒｉｆｔ」にカーソル４３が位置している状態で、方向キーを操作すれば、カーソル４３をさらに次のオブジェクトとしての英単語「ｅａｒｎ」に移動させることができる。第２画面４２には、英単語「ｄｒｉｆｔ」及び「ｅａｒｎ」の日本語訳がそれぞれ表示されている。
【００６８】
本実施の形態では、この様にリンク情報の表示対象に指定されたオブジェクトと、カーソル位置のオブジェクトとにそれぞれ関連付けられたリンク情報が第２画面４２に表示される。この様な構成によれば、正面方向に対して複数のオブジェクトが配列された第１画面４１を表示し、斜め方向に対して各オブジェクトのリンク情報が配列された第２画面４２を表示することができる。その際、第２画面４２には、リンク情報の表示対象に指定されたオブジェクトと、カーソル位置のオブジェクトとにそれぞれ関連付けられたリンク情報が表示されるので、単語問題集やクイズ問題集などの書籍を閲覧させる場合に、ユーザが指定した問題の回答のみを第２画面４２に表示させることができる。
【００６９】
実施の形態３．
実施の形態１では、方向キーを操作することによってカーソル４３を移動させ、先頭オブジェクトからカーソル位置のオブジェクトまでのリンク情報を第２画面に表示する場合の例について説明した。これに対して、本実施の形態では、傾きセンサーの出力に基づいて一方向への回転操作を検知し、カーソル位置のオブジェクトに対応するリンク情報を表示し、上記一方向とは反対方向への回転操作を検知してカーソルを次のオブジェクトに移動させる場合について説明する。
【００７０】
図１７は、本発明の実施の形態３による携帯情報端末６０の概略構成の一例を示したブロック図である。この携帯情報端末６０は、図２の携帯電話機１と比較すれば、傾きセンサー６２を備えている点で異なる。
【００７１】
傾きセンサー６２は、所定方向への端末の回転操作を検知するためのセンサーであり、傾きを検出してその検出信号を主制御部６１へ出力する動作を行っている。例えば、回転方向及び加速度の検知可能な３軸加速度センサーを傾きセンサー６２として用いることが考えられる。具体的には、ばねに取り付けられた重りの変位量を計測して、重りにかかる加速度が推定される。
【００７２】
本実施の形態では、この様な加速度の検知機構を半導体プロセスによって実現したＭＥＭＳ（Micro Electro Mechanical Systems）センサーが用いられる。
【００７３】
主制御部６１では、傾きセンサー６２からの検出信号に基づいて、所定方向への端末の回転操作を検知する動作が行われる。
【００７４】
図１８は、図１７の携帯情報端末６０の要部における構成例を示したブロック図であり、主制御部６１内の機能構成の一例が示されている。この主制御部６１は、カーソル移動部６４、第１表示部６５及び第２表示部６６により構成される。
【００７５】
第１表示部６５は、表示面の正面方向を第１の視認方向とし、第１の視認方向に対して第１画面４１を表示する動作を行っている。カーソル移動部６４は、傾きセンサー６２からの検出信号に基づいて第１表示部６５を制御し、第１画面４１内でカーソル４３を移動させる動作を行っている。
【００７６】
第２表示部６６は、所定の斜め方向を第２の視認方向とし、第２の視認方向に対して第２画面４２を表示する動作を行っている。第２画面４２には、先頭オブジェクトからカーソル位置のオブジェクトまでの各オブジェクトにそれぞれ関連付けられたリンク情報が表示される。
【００７７】
この第２表示部６６では、傾きセンサー６２からの検出信号に基づいて、一方向への回転操作を検知し、カーソル位置のオブジェクトに対応するリンク情報を第２画面４２に表示する動作が行われる。
【００７８】
カーソル移動部６４では、上記一方向とは反対方向への回転操作を検知し、カーソル４３を次のオブジェクトに移動させる動作が行われる。
【００７９】
図１９〜図２２は、図１７の携帯情報端末６０におけるデュアルビュー表示時の動作の一例を示した図である。図１９（ａ）には、正面方向を視認方向としてディスプレイ２ａの表示面を視認する様子が示され、図１９（ｂ）には、そのときの第１画面４１及び第２画面４２が示されている。
【００８０】
この例では、第１画面４１の先頭オブジェクトとしての英単語「ｄｏｍｅｓｔｉｃ」にカーソル４３が位置している。第２画面４２には、リンク情報は何も表示されていない。
【００８１】
図２０（ａ）には、図１９の状態から端末を左方向に回転させた場合の様子が示され、図２０（ｂ）には、その回転操作後の第１画面４１及び第２画面４２が示されている。端末を左方向に回転操作することにより、カーソル位置の英単語「ｄｏｍｅｓｔｉｃ」に対応する日本語訳「国内の、家庭内の」を第２画面４２に表示させることができる。
【００８２】
図２１（ａ）には、図２０の状態から端末を右方向に回転させた場合の様子が示され、図２１（ｂ）には、その回転操作後の第１画面４１及び第２画面４２が示されている。日本語訳「国内の、家庭内の」の表示後、端末を右方向に回転操作して正面方向を視認方向とする元の状態に復帰させれば、カーソル４３を次のオブジェクト、すなわち、英単語「ｄｒｉｆｔ」に移動させることができる。
【００８３】
この状態では、英単語「ｄｏｍｅｓｔｉｃ」の日本語訳が第２画面４２に表示されている。
【００８４】
図２２（ａ）には、図２１の状態から端末を左方向に回転させた場合の様子が示され、図２２（ｂ）には、その回転操作後の第１画面４１及び第２画面４２が示されている。カーソル４３を英単語「ｄｒｉｆｔ」に移動させた後、端末を左方向に回転操作すれば、カーソル位置の英単語「ｄｒｉｆｔ」に対応する日本語訳「流れる、さまよう」を第２画面４２に表示させることができる。
【００８５】
本実施の形態によれば、一方向への回転操作を検知してカーソル位置のオブジェクトに対応するリンク情報を表示し、上記一方向とは反対方向への回転操作を検知してカーソル４３を次のオブジェクトに移動させるので、例えば、第１の視認方向から第２の視認方向に表示面を見る方向を変更するだけで、カーソル位置のリンク情報を表示させることができる。また、第２の視認方向から第１の視認方向に視認方向を変更するだけで、カーソル４３を次のオブジェクトに移動させることもできる。従って、方向キーの操作によってカーソル４３を移動させるのに比べて、単語問題集やクイズ問題集などの書籍を閲覧させる際の操作性を向上させることができる。
【００８６】
なお、本実施の形態では、端末の傾きを検知してカーソル４３を移動させ、新たに選択されたオブジェクトに対応するリンク情報を第２画面４２に表示する場合の例について説明したが、本発明はこれに限られるものではない。例えば、第２表示部６６が、検知した回転操作の回転角度が一定値よりも小さい場合に、カーソル位置のオブジェクトに対応するリンク情報を構成する文字列の一部を表示し、回転角度が上記一定値よりも大きい場合に、上記文字列の全体を表示する。そして、カーソル移動部６４が、検知した回転操作が上記一定値よりも大きい場合に、カーソル４３を次のオブジェクトに移動させるようなものであっても良い。
【００８７】
図２３〜図２７は、図１７の携帯情報端末６０におけるデュアルビュー表示時の動作の他の一例を示した図である。図２３（ａ）には、正面方向を視認方向としてディスプレイ２ａの表示面を視認する様子が示され、図２３（ｂ）には、そのときの第１画面４１及び第２画面４２が示されている。
【００８８】
この例では、第１画面４１には、日本語訳などの複数の翻訳語が配列されたページが表示され、第２画面４２には、翻訳語に対応する英単語などの原語が表示されている。第１画面４１の先頭オブジェクトとしての日本語訳「国内の、家庭内の」にカーソル４３が位置している。第２画面４２には、リンク情報は何も表示されていない。
【００８９】
図２４（ａ）には、図２３の状態から端末を左方向に一定値よりも小さな回転角度７１だけ回転させた場合の様子が示され、図２４（ｂ）には、その回転操作後の第１画面４１及び第２画面４２が示されている。端末を左方向に回転角度７１だけ回転操作することにより、カーソル位置の日本語訳に対応する英単語「ｄｏｍｅｓｔｉｃ」の一部「ｄｏｍ・・・・・」を第２画面４２に表示させることができる。
【００９０】
この様に文字列の一部のみを表示させることにより、英単語の日本語訳を回答する際のヒントを提示することができる。
【００９１】
図２５（ａ）には、図２４の状態から端末を右方向に回転させて正面方向を視認方向とする状態に復帰させた場合の様子が示され、図２５（ｂ）には、その回転操作後の第１画面４１及び第２画面４２が示されている。英単語「ｄｏｍｅｓｔｉｃ」の一部の表示後、端末を右方向に回転操作して正面方向を視認方向とする元の状態に復帰させても、カーソル４３は移動しない。
【００９２】
図２６（ａ）には、図２５の状態から端末を左方向に一定値よりも大きな回転角度７２だけ回転させた場合の様子が示され、図２６（ｂ）には、その回転操作後の第１画面４１及び第２画面４２が示されている。端末を元の状態に復帰させた後、端末を左方向に回転角度７２だけ回転操作すれば、カーソル位置の日本語訳に対応する英単語「ｄｏｍｅｓｔｉｃ」の全体を第２画面４２に表示させることができる。
【００９３】
図２７（ａ）には、図２６の状態から端末を右方向に回転させて正面方向を視認方向とする状態に復帰させた場合の様子が示され、図２７（ｂ）には、その回転操作後の第１画面４１及び第２画面４２が示されている。英単語「ｄｏｍｅｓｔｉｃ」の全体の表示後、端末を右方向に回転操作して正面方向を視認方向とする元の状態に復帰させると、カーソル４３を次のオブジェクト、すなわち、日本語訳「流れる、さまよう」に移動させることができる。
【００９４】
また、本実施の形態では、正面方向から視認可能な第１画面４１に日本語訳が配列されたページを表示し、斜め方向から視認可能な第２画面４２にそのリンク情報として日本語訳に対応する英単語を表示する場合の例について説明したが、本発明はこれに限られるものではない。例えば、表示面を見る方向を異ならせることによってそれぞれ視認可能な３つの画面を同時に表示し、正面方向から視認可能な第１画面４１に日本語訳などのオブジェクトが配列されたページを表示する。そして、右斜め方向から視認可能な第２画面４２にそのリンク情報として日本語訳に対応する英単語の全体を表示し、左斜め方向から視認可能な第３画面４４に日本語訳に対応する英単語の一部を表示するようなものであっても良い。
【００９５】
図２８（ａ）及び（ｂ）は、図１７の携帯情報端末６０におけるデュアルビュー表示時の動作のその他の一例を示した図である。図２８（ａ）には、正面方向を第１の視認方向、右斜め方向を第２の視認方向、左斜め方向を第３の視認方向としてディスプレイ２ａの表示面を視認する様子が示され、図２８（ｂ）には、そのときの第１画面４１、第２画面４２及び第３画面４４が示されている。
【００９６】
この例では、第１画面４１には、複数の日本語訳が配列されたページが表示され、第２画面４２には、日本語訳に対応する英単語の全体が表示され、第３画面４４には、日本語訳に対応する英単語の一部が表示されている。第１画面４１の先頭オブジェクトとしての日本語訳「国内の、家庭内の」にカーソル４３が位置している。
【００９７】
正面方向を視認方向とする状態から端末を左方向に回転操作することにより、カーソル位置の日本語訳に対応する英単語の全体を第２画面４２に表示させることができる。また、端末を右方向に回転操作することにより、カーソル位置の日本語訳に対応する英単語の一部を第３画面４４に表示させることができる。
【００９８】
また、上記実施の形態では、回転操作の回転角度が一定値よりも小さければ、カーソル位置のオブジェクトに対応するリンク情報の一部を表示する場合の例について説明したが、本発明はこれに限られるものではない。例えば、第２表示部６６が、傾きセンサー６２の出力に基づいて一方向への回転操作を検知し、カーソル位置のオブジェクトに対応するリンク情報を表示する際に、検知した回転操作の回転角度が一定値よりも小さければ、カーソル位置のオブジェクトに対応するリンク情報を、回転操作の回転角度が一定値よりも大きい場合に比べて濃度を薄くして表示するようなものであっても良い。
【符号の説明】
【００９９】
１  携帯電話機
２  表示筐体
２ａ  ディスプレイ
２ｂ  レシーバ
３  操作筐体
３ａ  操作キー
３ｂ  マイクロホン
１０  主制御部
１１  アンテナ
１２  セルラー通信部
１３  書籍データ記憶部
１４  画面情報記憶部
３１  カーソル移動部
３２  第１表示部
３３  第２表示部
５０  主制御部
５１  表示対象指定部
６０  携帯情報端末
６１  主制御部
６２  傾きセンサー
６４  カーソル移動部
６５  第１表示部
６６  第２表示部
【図１】
2010170346.tif 000003
【図２】
2010170346.tif 000004
【図３】
2010170346.tif 000005
【図４】
2010170346.tif 000006
【図５】
2010170346.tif 000007
【図６】
2010170346.tif 000008
【図７】
2010170346.tif 000009
【図８】
2010170346.tif 000010
【図９】
2010170346.tif 000011
【図１０】
2010170346.tif 000012
【図１１】
2010170346.tif 000013
【図１２】
2010170346.tif 000014
【図１３】
2010170346.tif 000015
【図１４】
2010170346.tif 000016
【図１５】
2010170346.tif 000017
【図１６】
2010170346.tif 000018
【図１７】
2010170346.tif 000019
【図１８】
2010170346.tif 000020
【図１９】
2010170346.tif 000021
【図２０】
2010170346.tif 000022
【図２１】
2010170346.tif 000023
【図２２】
2010170346.tif 000024
【図２３】
2010170346.tif 000025
【図２４】
2010170346.tif 000026
【図２５】
2010170346.tif 000027
【図２６】
2010170346.tif 000028
【図２７】
2010170346.tif 000029
【図２８】
2010170346.tif 000030